(57)【要約】【課題】プラスチックモールドレンズの光学面の変形を抑制し且つ光学調整時の位置を安定して保持することができる光学機器を提供することである。【解決手段】プラスチックモールドレンズの光軸直交方向の位置を規制するレンズ保持枠と、前記レンズ保持枠の外径側に配置され前記レンズ保持枠を光軸直交方向あるいは光軸に対して傾いた方向に調整可能に保持する外筒と、前記プラスチックモールドレンズに対して前記レンズ保持枠との間で光軸方向に付勢力を発生させるレンズ押え板を備え、前記付勢力によりプラスチックモールドレンズは前記レンズ保持枠と前記レンズ押え板により挟持された状態で、前記レンズ押え板が前記レンズ保持枠に対して接着固定され、前記付勢力は前記レンズ押え板あるいは前記レンズ保持枠の一方に設けられ、光軸周り方向に延在する少なくとも１つの片持ちはり部の変形により生じること。【選択図】  図１
2018077374.tif 000002
【特許請求の範囲】
【請求項１】
プラスチックモールドレンズの光軸直交方向の位置を規制するレンズ保持枠と、
前記レンズ保持枠の外径側に配置され前記レンズ保持枠を光軸直交方向あるいは光軸に対して傾いた方向に調整可能に保持する外筒と、
前記プラスチックモールドレンズに対して前記レンズ保持枠との間で光軸方向に付勢力を発生させるレンズ押え板を備え、
前記付勢力によりプラスチックモールドレンズは前記レンズ保持枠と前記レンズ押え板により挟持された状態で、前記レンズ押え板が前記レンズ保持枠に対して接着固定され、
前記付勢力は前記レンズ押え板あるいは前記レンズ保持枠の一方に設けられ、光軸周り方向に延在する少なくとも１つの片持ちはり部の変形により生じることを特徴とするレンズ鏡筒。
【請求項２】
挟持される前記プラスチックモールドレンズは互いに平行に向き合った第１平面部と第２平面部を備え、
前記第１平面部が前記レンズ保持枠あるいは前記レンズ押え板の一方に当接し、
前記第２平面部が前記レンズ保持枠あるいは前記レンズ押え板の他方に当接した状態で前記レンズ保持枠と前記レンズ押え板に挟持されることを特徴とする請求項１に記載のレンズ鏡筒。
【請求項３】
前記片持ちはり部は前記レンズ保持枠あるいは前記レンズ押え板の一方を形成する樹脂材料により一体的に成形されていることを特徴とする請求項１又は２に記載のレンズ鏡筒。
【請求項４】
前記レンズ押え板が前記レンズ保持枠に対して光軸周りに回転組み込みされた際に前記片持ちはり部による前記付勢力が生じることを特徴とする請求項１乃至３のいずれか１項に記載のレンズ鏡筒。
【請求項５】
前記レンズ押え板が前記レンズ枠に対して回転組み込みされた状態で前記レンズ保持枠に対する前記レンズ押え板の回転組み込み時と反対方向への回転を防止するための回転防止部を備えることを特徴とする請求項４に記載のレンズ鏡筒。
【請求項６】
前記レンズ保持枠の前記プラスチックモールドレンズの光軸直交方向の位置規制は、
前記レンズ保持枠と前記プラスチックモールドレンズの一方に設けられた位置決め突起と、
前記レンズ保持枠と前記プラスチックモールドレンズの他方に設けられた位置決め穴とが嵌合することで行われることを特徴とする請求項１乃至５のいずれか１項に記載のレンズ鏡筒。
【請求項７】
前記レンズ保持枠と前記レンズ押え板を接着固定するための複数の接着部は前記レンズ保持枠の光軸周りの側面部に設けられることを特徴とする請求項１乃至６のいずれか１項に記載のレンズ鏡筒。
【請求項８】
前記片持ちはり部は前記第１平面部と前記第２平面部よりも外径側に配置されることを特徴とする請求項１乃至６のいずれか１項に記載のレンズ鏡筒。
【請求項９】
光軸周りに設けられた前記複数の接着部の互いの間の位相で前記レンズ保持枠と前記レンズ押え板に衝撃受け部を有することを特徴とする請求項７に記載のレンズ鏡筒。
【請求項１０】
プラスチックモールドレンズと、
前記プラスチックモールドレンズの光軸直交方向の位置を規制するレンズ保持枠と、
前記レンズ保持枠の外側に配置され前記レンズ保持枠を光軸直交方向あるいは光軸に対して傾いた方向に調整可能に保持する外筒と、
光軸方向において、前記レンズ保持枠に対して前記プラスチックモールドレンズの反対側に配置され、前記プラスチックモールドレンズを前記レンズ保持枠に向かって押さえる付勢力を発生させるレンズ押え板を備えるレンズ鏡筒であって、
前記付勢力は前記レンズ押え板あるいは前記レンズ保持枠の一方に設けられ、光軸回り方向に延在する少なくとも１つの片持ちはり部の変形により生じることを特徴とするレンズ鏡筒。
【請求項１１】
請求項１乃至１０のいずれか１項に記載のレンズ鏡筒を有することを特徴とする光学機器。
【請求項１２】
撮像素子を備え、
前記レンズ鏡筒が、被写体光からの光を前記撮像素子に導くことを特徴とする請求項１１に記載の光学機器。
【発明の詳細な説明】
【技術分野】
【０００１】
本発明は、レンズ鏡筒及びそれを有する光学機器に関し、例えばレンズをレンズ保持枠に対して安定して固定することができるデジタルカメラ、ビデオカメラ等の光学機器に好適なものである。
【背景技術】
【０００２】
デジタルカメラ、ビデオカメラ等の光学機器に用いられるレンズ鏡筒では、各レンズ群を保持するレンズ保持部材を鏡筒本体内に組み込むとき、レンズ群の傾きや光軸を偏芯させてレンズ群の光学調整を行って組み立てている。レンズ群を光学調整して鏡筒本体に組み込むとき、接着剤を用いてレンズ保持枠を固定し、調整後に狂いが生じないようにしたレンズ鏡筒が知られている(特許文献１)。
【０００３】
特許文献１では第１の鏡筒部材と第３の鏡筒部材の間に配置され、光軸直交方向に調整される第２鏡筒を有している。第２鏡筒は光軸直交方向に調整された後に第１あるいは第３の鏡筒部材の一方に接着固定される。また、第２の鏡筒部材または第３の鏡筒部材の一方に一体的に形成され第２の鏡筒部材に対して光軸方向に付勢する弾性部をもつ。弾性部によって第２鏡筒は光軸方向に付勢されるので光軸直交方向に調整する際に安定した調整が行えるため高精度に調整することが可能となる。
【先行技術文献】
【特許文献】
【０００４】
【特許文献１】特開２０１６−５１１７５号公報
【発明の概要】
【発明が解決しようとする課題】
【０００５】
ところで近年デジタルカメラ用レンズやビデオカメラ用レンズなどのレンズとしてガラスレンズではなくプラスチックモールドレンズが軽量化やコストメリットの観点から多く用いられている。プラスチックモールドレンズを用いたレンズ群においてもレンズ群の傾きや光軸を偏芯させる光学調整が行われることがある。プラスチックモールドレンズは従来のガラスレンズをレンズ保持枠に固定する手段であるカシメやネジ込みによる押え環などを採用することが難しい。
【０００６】
プラスチックモールドレンズはガラスレンズに対して軟らかいため前記カシメやネジ込みによる押え環ではプラスチックモールドレンズのレンズ鏡筒に入射した光線が通る光学有効面を変形させてしまうためである。そのためプラスチックモールドレンズを用いたレンズ群の光学調整はプラスチックモールドレンズそのものをレンズ保持枠に対して位置調整した後にレンズ保持枠に接着固定することが多い。
【０００７】
しかしながら、プラスチックモールドレンズには親水性が低いものがあり、従来用いている接着固定では高温下、低温下などで接着が剥がれプラスチックモールドレンズが調整位置からずれて光学性能が劣化してしまうという課題があった。
【０００８】
本発明の目的は、プラスチックモールドレンズの光学面の変形を抑制し且つ光学調整時の位置を安定して保持することができる光学機器を提供することである。
【課題を解決するための手段】
【０００９】
上記目的を達成するために、本発明は、プラスチックモールドレンズの光軸直交方向の位置を規制するレンズ保持枠と、前記レンズ保持枠の外径側に配置され前記レンズ保持枠を光軸直交方向あるいは光軸に対して傾いた方向に調整可能に保持する外筒と、前記プラスチックモールドレンズに対して前記レンズ保持枠との間で光軸方向に付勢力を発生させるレンズ押え板を備え、前記付勢力によりプラスチックモールドレンズは前記レンズ保持枠と前記レンズ押え板により挟持された状態で、前記レンズ押え板が前記レンズ保持枠に対して接着固定され、前記付勢力は前記レンズ押え板あるいは前記レンズ保持枠の一方に設けられ、光軸周り方向に延在する少なくとも１つの片持ちはり部の変形により生じることを特徴とする。
【発明の効果】
【００１０】
本発明によれば、プラスチックモールドレンズの光学面の変形を抑制し且つ光学調整時の位置を安定して保持することができる光学機器が得られる。
【図面の簡単な説明】
【００１１】
【図１】本発明の実施の形態に係るレンズ保持枠ユニットの分解斜視図
【図２】本発明の実施の形態に係るレンズ鏡筒の主要断面図
【図３】本発明の実施の形態に係るレンズ保持枠ユニットが外筒に組み込まれた状態の斜視図
【図４】本発明の実施の形態に係るレンズ保持枠ユニットと外筒の分解斜視図
【図５】本発明の実施の形態に係るレンズ保持枠ユニットの斜視図
【図６】本発明の実施の形態に係るレンズ保持枠ユニットの側面図
【図７】本発明の実施の形態に係るレンズ押え環組み込み時の側面図
【図８】本発明の実施の形態に係るレンズ保持枠ユニットの分解斜視図
【図９】本発明の実施の形態に係るレンズ保持枠の正面図
【図１０】本発明の実施の形態に係るレンズ押え板の斜視図
【図１１】本発明の実施の形態に係るレンズ保持枠ユニットの断面図
【発明を実施するための形態】
【００１２】
以下に、本発明の好ましい実施の形態を、添付の図面に基づいて詳細に説明する。
【００１３】
［実施形態１］
以下、本発明の実施形態を添付図面に基づいて説明する。図２は、本実施形態のレンズ鏡筒を一眼レフカメラ(被写体像が結像する撮像素子を有する光学機器)の交換レンズ鏡筒に適用した実施例の概略断面図である。
【００１４】
本実施例においてカメラ本体１とレンズ鏡筒２との接続は着脱マウント１８を介して行われている。着脱マウントには第８レンズＬ８および外装環１７を介して固定筒２８が固定されている。基板ユニット２１は外装環１７と固定筒２８との間に挟持されている。固定筒２８にはＭＦリング２４がＭＦリング押え環２３により光軸周りに回転可能に挟持されている。また、固定筒２８にはＺＭリング１が接着固定されたＺＭリング２が光軸方向の移動を規制された状態で光軸周りに回転可能に保持されている。加えて固定筒２８には案内筒３１も固定されている。
【００１５】
案内筒３１には不図示の複数の直進案内溝が設けられている。前記複数の直進案内溝のうちのひとつには直進筒２９の内周側に周方向に設けられている不図示の３つのコロが係合している。また、別の直進案内溝には第２レンズＬ２を保持する第２レンズ保持枠ユニット１２、第５レンズＬ５を保持する第５レンズ保持枠ユニット１５および第４レンズＬ４を保持する第４レンズ保持枠ユニットの外周に周方向にそれぞれ３つ設けられているコロが係合している。
【００１６】
案内筒３１の外周にはカム環３０が光軸方向の移動を規制された状態で光軸周りに回転可能に嵌合しており、案内筒３１の直進案内溝に係合しているコロのそれぞれがカム環３０に設けられたカム溝にも係合している。第１レンズＬ１を保持する第１レンズ保持枠１１は直進筒２９に固定されている。フィルター枠２２も直進筒２９に固定されている。直進筒２９の外周にはＭＺリング２の内側に設けられている不図示のカム溝に係合するコロが周方向に３つ設けられている。ＭＺリング２を光軸周りに回転することによって直進筒２９がＭＺリング２の内側のカム溝によって光軸方向に移動する。
【００１７】
直進筒２９が光軸方向に移動することでカム環３０が回転する。その結果、カム環３０が光軸周りに回転しカム溝と案内筒３１の直進案内溝に係合するそれぞれのコロを介して第２レンズ保持枠ユニット１２、第５レンズ保持枠ユニット１５および第４レンズ保持枠ユニット１４が光軸方向に移動する。
【００１８】
ここで第４レンズ保持枠ユニットは不図示のＶＣＭによって光学防振が可能な光学防振ユニットである。
【００１９】
第５レンズ保持枠ユニット１５には絞りユニット２０が固定されている。絞りユニット２０は開口径を変化することができレンズ鏡筒２からカメラ本体１に通る光量を調整することができる。また、第５レンズ保持枠ユニットには第３レンズＬ３を保持する第３レンズ保持枠ユニット１３が固定されている。さらに第５レンズ保持枠ユニット１５には第７レンズＬ７を保持する第７レンズ保持枠ユニット１７を光軸に対して偏芯可能に保持する外筒１９も固定されている。
【００２０】
また、第６レンズＬ６を保持する第６レンズ保持枠ユニット１６は第５レンズ保持枠ユニット１５と外筒１９によって挟持されている不図示のガイドバーによって光軸方向に摺動しながら移動可能に保持されている。第６レンズ保持ユニット１６には不図示のラックが備えられており第５レンズ保持枠に固定されている不図示のステッピングモータの駆動力がラックにより伝達され光軸方向に移動する。第６レンズＬ６はレンズ鏡筒２のフォーカス調整を行うレンズ群である。
【００２１】
図３は本発明の実施形態を示す第７レンズ保持枠ユニット１７が外筒１９に保持された状態を示す斜視図である。図４は本発明の実施形態を示す外筒１９に保持されていた第７レンズ保持枠ユニット１７の分解斜視図である。図５（ａ）、図５（ｂ）は本発明の実施の形態に係る第７レンズ保持枠ユニット１７のそれぞれ視点を変えた斜視図である。
【００２２】
図３、４、５（ａ）、５（ｂ）に示すように第７レンズ保持枠ユニット１７はコロ止めビス１０１により保持された偏芯コロ１０２、同軸コロ１０３が外筒１９のコロ挿入部１９ａ嵌った状態で第７レンズ保持枠２０１のコロ座２０１ａに固定されることで外筒１９に保持されている。偏芯コロ１０２をコロ止めビス１０１の軸周りに回転することにより第７レンズ保持枠１７は外筒１９に対して偏芯調整可能である。本実施形態は偏芯調整できる構成としているが、偏芯コロを用いた同様の構成で傾き調整できるようにしても良い。
【００２３】
図１、８は本発明の実施形態を示す第７レンズ保持枠ユニット１７の分解斜視図である。図１、８に示すようにレンズ保持枠ユニット１７は第７レンズＬ７および第７レンズ保持枠２０１、レンズ押え板３０１および遮光シート４０１により構成されている。遮光シート４０１は不図示の両面テープにより第７レンズ保持枠２０１に貼付けられている。
【００２４】
第７レンズＬ７はプラスチックモールドにより成形されておりレンズ保持枠当接面Ｌ７ａ、レンズ押え板当接面Ｌ７ｂ、成形時のゲート残りであるゲート部Ｌ７ｃおよび位置決めボスＬ７ｄを備える。レンズ保持枠当接面Ｌ７ａとレンズ押え板当接面Ｌ７ｂは互いに平行に向き合っていることが好ましい。また第７レンズＬ７はレンズ鏡筒２へ入射した光線が通るための光学有効面Ｌ７ｅ、Ｌ７ｆを備える。
【００２５】
図９は本発明の実施形態を示す第７レンズ保持枠２０１の正面図である。第７レンズ保持枠２０１はコロ座２０１ａ、回転規制部２０１ｂ、レンズ受け面２０１ｃ、レンズ位置決め穴２０１ｄ、レンズ位置決め長穴２０１ｅ、衝撃受け部２０１ｆを備えている。
【００２６】
図１０は本発明の実施の形態に係るレンズ押え板３０１の斜視図である。レンズ押え板３０１は光軸周りに延在する片持ちはり部３０１ａ、レンズ押え面３０１ｂ、衝撃当て面３０１ｃを備えている。レンズ押え板３０１は樹脂材料により成形され片持ちはり部３０１ａが一体的に成形されていることが好ましい。樹脂材料により片持ちはり部３０１ａを成形することにより各部品の公差による片持ちはり部３０１ａの変形により生じる弾性力のバラつきを抑制することができる。つまり金属などにより片持ちはり部３０１ａを成形した場合に対して公差による弾性力のばらつきの最大値を低くすることができる。
【００２７】
本実施形態のプラスチックモールドレンズである第７レンズＬ７の保持構成について説明する。第７レンズＬ７は位置決めボスＬ７ｄの２つの内の一方は第７レンズ保持枠２０１のレンズ位置決め穴２０１ｄに、他方が位置決め長穴２０１ｅに挿入されることで光軸直交方向の位置が規制されている。このような位置決めボスにより光軸直交方向の位置を規制することにより位置決め穴との嵌合ガタによる位置ズレを抑えることができるため好ましいが、レンズの外径とレンズ保持枠の内径で嵌め合う構成としても良い。
【００２８】
図６は本発明の実施の形態に係るレンズ保持枠ユニットの側面図を示し、図７は本発明の実施の形態に係るレンズ押え環組み込み時の側面図を示している。
【００２９】
図７(ａ)に示すようにレンズ押え板３０１は図中の矢印Ａ方向に第７レンズ保持枠２０１に対して組み込まれ図７（ｂ）の状態となる。次に図７（ｂ）の図中の矢印Ｂ方向にレンズ押え板３０１は第７レンズ保持枠２０１に対して光軸周りに回転組み込みされ図７（ｃ）の状態となる。図７（ｃ）に示す状態はレンズ押え板３０１が第７レンズ保持枠２０１に対して組み込み完了した状態である。
【００３０】
図７(ｃ)に示す組み込み状態において、レンズ押え板３０１の片持ちはり部３０１ａが第７レンズ保持枠２０１の回転規制部２０１ｂを乗り越えることで片持ちはり部３０１ａが変形した状態が維持される。片持ちはり部３０１ａが変形することにより片持ちはり部３０１ａの弾性力により第７レンズＬ７は第７レンズ保持枠２０１に対して光軸方向に押え付けられた状態でレンズ押え板３０１との間に挟持される。この状態で図５中に示す領域Ｃ部をＵＶ接着剤により接着固定することでレンズ押え板３０１が第７レンズ保持枠２０１に対して固定される。（領域Ｃは光軸周りの位相に均等に３箇所設けられている。
【００３１】
これにより第７レンズＬ７は第７レンズ保持枠２０１に対して光軸方向に押え付けられた状態で保持される。また、図７に示すように回転規制部２０１ｂは片持ちはり部３０１ａが乗り越える箇所は凸形状になっている。このように凸形状にすることによってレンズ押え板３０１が組み込み方向（矢印Ｂ方向）と逆方向に回転するのを規制することができる。組み込み方向と逆方向への回転を防止できるので組み込み性が向上するため凸形状とすることが好ましい。
【００３２】
また、本実施形態ではＵＶ接着剤により接着固定する箇所を第７レンズ保持枠２０１の光軸周りの側面部に設けている。側面部に接着固定箇所を設けることで外筒１９に第７レンズ保持枠ユニット１７際に接着固定箇所が隠されるので接着箇所に別途シート部材などを貼り付けて隠す必要がないので外観上は好ましい。同様に片持ちはり部３０１ａも光軸周りの側面部に設けることにより別部品を設けて隠す必要がないので外観上は好ましい。
【００３３】
加えて、図５に示すようにレンズ押え板３０１が第７レンズ保持枠２０１に組み込まれた状態では衝撃当て面３０１ｃと衝撃受け面２０１ｆは光軸方向にみた際に重なり合っている。衝撃当て面３０１ｃと衝撃受け面２０１ｆは通常接触しないように一定のクリアランスをもっているが、レンズ鏡筒２に外部から衝撃が作用した際に互いに当接するように配置している。
【００３４】
これによりレンズ押え板３０１と第７レンズ保持枠２０１との接着固定部が剥がれることを抑制できる。したがって、光軸周りの位相でみた際に衝撃当面３０１ｃおよび衝撃受け面２０１ｆは前記接着固定部同士の間に配置されることが好ましい。これは接着固定部の間が外部からの衝撃を受けた際に変形しやすいからである。
【００３５】
図１１（ａ）は前述した図７（ｃ）に示したようにレンズ押え板３０１を第７レンズ保持枠２０１に組み込んだ後の断面図である。図１１（ｂ）は図１１（ａ）中に点線部で示した領域を拡大した図である。
【００３６】
図１１（ｂ）に示すようにレンズ押え環３０１を第７レンズ保持枠２０１に組み込んだ状態では第７レンズＬ７のレンズ保持枠当接面Ｌ７ａが第７レンズ保持枠２０１のレンズ受け面２０１ｃに対して当接する。また、レンズ押え板当接面Ｌ７ｂがレンズ押え板３０１のレンズ押え面３０１ｂと当接する。プラスチックモールドレンズである第7レンズＬ７のレンズ保持枠当接面Ｌ７ａとレンズ押え板当接面Ｌ７ｂがレンズ押え板３０１の片持ちはり部３０１ａによる弾性力により平行に挟持される。
【００３７】
挟持される面を平行にすることで前述した片持ちはり部３０１ａからの弾性力による光学有効面Ｌ７ｅおよびＬ７ｆに対する変形の影響を抑制することができ好ましい。
【００３８】
本実施形態によれば、片持ちはり部３０１ａを光軸周りに延在する片もちはり構造とすることで限られたスペースにおいて片持ちはり部３０１ａの変形により生じる弾性力を抑制することができる。また、片持ちはり部３０１ａを金属に対して比較的ヤング率の低い樹脂材料により一体的に成形することで部品点数を増やさず且つ片持ちはり部３０１ａの変形により生じる弾性力を極力抑えることができる。加えて各部品の公差による弾性力のバラつきを抑えられる。
【００３９】
片持ちはり部３０１ａの変形による弾性力を抑えることで第７レンズＬ７が第７レンズ保持枠２０１とレンズ押え板３０１との間で挟持される際の第７レンズＬ７の光学面の変形を抑制することができる。また、レンズ押え板３０１を組み込むだけで第７レンズＬ７を第７レンズ保持枠２０１に対して安定して保持することができるので組み込み時に特別な工具を必要としない。レンズ押え板３０１を第７レンズＬ７および第７レンズ保持枠２０１に対して工具で付勢する場合は繰り返しの耐久性の観点から金属部品の弾性力による付勢が必要である。
【００４０】
したがって、工具による組立では第７レンズＬ７を本実施形態同様に最低限の弾性力で押えることも困難である。また、本実施形態によれば、第７レンズＬ７が第７レンズ保持枠２０１とレンズ押え板３０１と当接するレンズ保持枠当接面Ｌ７ａとレンズ押え当接面Ｌ７ｂを互いに平行に向き合わせている。これにより第７レンズＬ７が第７レンズ保持枠２０１とレンズ押え板３０１との間で挟持される際の第７レンズＬ７の光学有効面Ｌ７ｅ、Ｌ７ｆへの影響を抑制することができる。
【００４１】
加えて、本実施形態によればレンズ押え板３０１を第７レンズ保持枠２０１に対して接着固定することで第７レンズＬ７を保持している。プラスチックモールドレンズである第７レンズＬ７に対して直接接着固定する必要がないので親水性の低いプラスチックモールドレンズを用いた調整群であっても光学調整後も調整位置を安定維持することができる。したがって、高温下、低温下などで接着が剥がれプラスチックモールドレンズが調整位置からずれて光学性能が劣化してしまうという問題が解決される。
【００４２】
以上、本発明の好ましい実施形態について説明したが、本発明はこれらの実施形態に限定されず、その要旨の範囲内で種々の変形及び変更が可能である。
【産業上の利用可能性】
【００４３】
以上のように、本発明に関わるレンズ鏡筒及びそれを有する光学機器は、プラスチックモールドレンズを用いた調整群の変形を抑制し且つ光学調整時の位置を安定して保持することができる。したがって、デジタルカメラ、ビデオカメラ等の光学機器に好適なものである。
【符号の説明】
【００４４】
１・・・カメラ本体  ２・・・レンズ鏡筒  Ｌ１・・・第１レンズ
Ｌ２・・・第２レンズ  Ｌ３・・・第３レンズ  Ｌ４・・・第４レンズ
Ｌ５・・・第５レンズ  Ｌ６・・・第６レンズ  Ｌ７・・・第７レンズ
Ｌ８・・・第８レンズ  Ｌ７ａ・・・レンズ保持枠当接面
Ｌ７ｂ・・・レンズ押え板当接面  Ｌ７ｃ・・・ゲート部
Ｌ７ｄ・・・位置決めボス  Ｌ７ｅ・・・光学有効面  Ｌ７ｆ・・・光学有効面
１１・・・第１レンズ保持枠ユニット  １２・・・第２レンズ保持枠ユニット
１３・・・第３レンズ保持枠ユニット  １４・・・第４レンズ保持枠ユニット
１５・・・第５レンズ保持枠ユニット  １６・・・第６レンズ保持枠ユニット
１７・・・第７レンズ保持枠ユニット  １８・・・第８レンズ保持枠ユニット
１９・・・外筒  １９ａ・・・コロ挿入部  ２０・・・絞りユニット
２１・・・基板ユニット  ２２・・・フィルター枠  ２３・・・ＭＦリング押え環
２４・・・ＭＦリング  ２５・・・ＺＭリング１  ２６・・・ＺＭリング２
２７・・・外装環  ２８固定筒  ２９・・・直進筒  ３０・・・カム環
３１・・・案内筒  １０１・・・コロ止めビス  １０２・・・偏芯コロ
１０３・・・同軸コロ  ２０１・・・第７レンズ保持枠  ２０１ａ・・・コロ座
２０１ｂ・・・回転規制部  ２０１ｃ・・・レンズ受け面
２０１ｄ・・・レンズ位置決め穴  ２０１ｅ・・・レンズ位置決め長穴
２０１ｆ・・・衝撃受け部  ３０１・・・レンズ押え板
３０１ａ・・・片持ちはり部  ３０１ｂ・・・レンズ押え面
３０１ｃ・・・衝撃当て部  ４０１・・・遮光シート
【図１】
2018077374.tif 000003
【図２】
2018077374.tif 000004
【図３】
2018077374.tif 000005
【図４】
2018077374.tif 000006
【図５】
2018077374.tif 000007
【図６】
2018077374.tif 000008
【図７】
2018077374.tif 000009
【図８】
2018077374.tif 000010
【図９】
2018077374.tif 000011
【図１０】
2018077374.tif 000012
【図１１】
2018077374.tif 000013